(57)【要約】【課題】住宅や共同住宅等のベランダ、廊下等に鳥が侵入することによる糞害や巣作りなどの障害を防止する、鳥よけ装置の機能を予め手すりにもたせ二次的装置を設置するという負担を最大限に軽減する。【解決手段】手すりを構成する支柱や笠木のエンドキャップが鳥よけ装置の機能を持っている。手すり支柱Ａがプレート４を持っており対になった支柱Ｂのプレート８との間にワイヤーや、ひも等の線材９を張ることで床面と手すり下端の隙間６から鳥が侵入することを防ぐ。笠木２のエンドキャップ３も張架具Ｄをもっており、対になった張架具Ｅとの間に線材５を張り、笠木に鳥が止まることを防ぐ。又、エンドキャップの形状を多様にし、手すりの形状や取り付け位置に柔軟に対応できるものとする。手すりの構成部材が予め鳥よけ装置の機能を備えているため二次的に装置を取り付ける手間を抑え、景観も損なうことのない装置とする。【選択図】図１
2007315157.tif 000002
【特許請求の範囲】
【請求項１】
住宅や共同住宅等のベランダ、廊下等の手すり自体が鳥よけ装置の機能を持つものとし、手すり支柱が下端にパイプをもっており対になった支柱のパイプとの間にワイヤー、ひも等の線材を張ることにより、床面と手摺下端の隙間から鳥が侵入することを防ぐ鳥よけ装置の機能を持った手すり。
【請求項２】
手すり笠木のエンドキャップを張架具の機能を持つ形状に製造し、笠木に取り付ける。又、エンドキャップの形状を多様にすることで手すりの形状や取り付け位置に柔軟に対応できるものとする。対になったエンドキャップの張架具同士の間にワイヤー、ひも等の線材を張ることにより手すり笠木に鳥が止まることを防ぎ、又、ベランダや廊下等の居住空間側へ鳥が侵入することを防止する、鳥よけ装置の機能を持った手すり。
【請求項３】
エンドキャップを多様な形状のものとする。図３は張架具ｂ１を下方へ押すとエンドキャップｂ２に収納され、出すときも押すと上がってくる。図４はワイヤー、ひも等の線材と線材の巻き取り機能であるドラムが張架具、エンドキャップと一体になったもので、二次的な装置が一切必要ないものである。図５による張架具はエンドキャップの側面についており手すりの内側で線材を張り、光を乱反射する素材を掛け鳥をおどすための物である。
【発明の詳細な説明】
【技術分野】
【０００１】本発明は住宅や共同住宅等のベランダや廊下等に鳥が侵入することを防ぐため、予め手すり構成部材の支柱と手すり笠木のエンドキャップ、笠木連結部材に鳥よけ装置の機能をもたせた手すりに関するものである。
【背景技術】
【０００２】従来の鳥よけ装置は手すりに二次的に装置を取り付けるものであり、ビスなどで固定しワイヤー、ひも等の線材を張りめぐらせるものがある。（例、特許文献１参照）。又、手すりに締め付けて固定するという装置も知られている。（例、特許文献２参照）。
【特許文献１】特開２０００−１３９３２４
【特許文献２】登録実用新案第３０６０９８５号
【発明の開示】
【発明が解決しようとする課題】
【０００３】従来の鳥よけ装置は手すりに二次的に装置を取り付けるものであり、居住者が装置を購入し取り付けるという手間が発生するものであった。又、ビスなどで固定する装置が知られているが、賃貸住宅では賃借人がビスなどを打つことは規則により禁止されている場合が多く分譲マンションなどでも自由にならないという問題が多かった。【０００４】又、締め付けて器具を固定する装置はベランダや廊下等の居住空間側に締め付け部材が突出することが多く居住者の通行の妨げとなったり、子供の怪我の原因となる等の障害の可能性を持っている。【０００５】したがって本発明はベランダや手すり等に予め鳥よけの機能を持たせ二次的に取り付ける装置を最大限に減らしたものとする。又、装置はビスなどを用いることなく使用でき生活行動の妨げとならないものとする。
【課題を解決するための手段】
【０００６】上記課題を解決する為本発明は、図１手すり構成部材である支柱Ａの下端にパイプ４を設け居住者は対になった支柱Ｂのパイプ８との間ワイヤー、ひも等の線材９を張り、床面７と手摺下端の隙間６から鳥が侵入することを防ぐ。又、手すり笠木２のエンドキャップ３の張架具Ｄと、その対になったエンドキャップ１０の張架具Ｅにワイヤー、ひも等の線材５を張ることにより笠木に鳥が止まることを防ぎベランダや廊下等の居住空間側へ鳥が侵入することを防止する。【０００７】即ち本発明は支柱Ａの下端に設けたパイプ４にワイヤーや、ひも等の線材９の端部２２を図１のように取り付け固定し、対の支柱Ｂのパイプ８にも同様に線材の端部２１を取り付ける。線材は片方の端部にバネ２０をもっており、線材を常に緊張した状態に保つ。二次的に取り付ける装置としてはワイヤー、ひも等の線材のみを居住者は取り付けるだけでよい。【０００８】図２のように手すりが長い距離にわたる場合には笠木連結部材ａ１にもエンドキャップと同様に張架具ａ２をもたせたものを用いる。線材５は張架具ａ２を通して張られるため距離が長い場合もたわみを防ぐことが出来る。支柱も手すりが長い距離にわたる場合には中間にパイプ１５を持った支柱Ｃを設置しておき線材９は１５を通して張られるため長い距離による線材のたわみを防ぐことができる。【０００９】エンドキャップを多様な形状とし張架具を押して収納し、又、押して出すという機構とする。図３による張架具ｂ１は鳥よけ装置を使用しないときは押して収納し、利用する際は押すと上がってくるものである。図４による張架具ｃ５も押すと収納され、又、出てくるものであるが、ワイヤー、ひも等の線材と、線材の巻き取り機能であるドラムが張架具、エンドキャップと一体になったもので、二次的な装置が一切必要ないものである。図５による張架具ｄ２はエンドキャップｄ１の側面についており手すりの内側で線材を張り、光を乱反射する素材等を掛け鳥をおどすための物である。
【発明の効果】
【００１０】本発明による鳥よけ装置は鳥が住宅や共同住宅等のベランダや廊下へ侵入し、糞害や巣作り等による障害を効果的に防ぐことができる。【００１１】手すりに鳥よけの機能が備わっており二次的に取り付ける装置が最大限に抑えられた仕組みにより居住者にとって装置を完成させるには線材をパイプとパイプの間に張る、笠木の張架具と張架具の間に張る、といういたって容易な作業であり、鳥よけ装置を購入するという負担も軽減する。張架具は手すり端部に取り付けられているため線材を張らない状態では鳥よけの装置が生活の行動の中で邪魔になることはない。【００１２】装置はシンプルな形状により住宅や共同住宅等においても景観を損ねることは無く、さらに装置の突出による子供の怪我等の心配も無くなる。【００１３】エンドキャップに多様な形をもたせることで手すりの形状や取り付け位置に柔軟に対応できるものとする。張架具が出し入れ可能な機構により居住者の必要性に応じて必要であれば出して利用し、必要なければ収納し、又、高さを変えられる図４のものは干した布団を押さえておくという別の機能も備えている。
【発明を実施するための最良の形態】
【００１４】図１の手すりの構成部材である支柱Ａ，Ｂの下端をパイプをもった形とする。パイプ４，８は溶接やビス等で予め支柱の下端部に固定された状態で手すりを構成する。床面と手すりの下端の隙間６をワイヤーや、ひも等の線材９で埋めるためにこのパイプ４の穴１３に線材の端部２２を取り付け、対になった支柱Ｂのパイプ８の穴１４にも同様に線材のもう片方の端部２１を取り付ける。支柱Ａ，Ｂの間の下端に線材が張られ床面と手すりの下端の隙間からの鳥の侵入や鳥が止まることを防ぐ。【００１５】図２のように支柱Ａ，Ｂ間の距離が長い場合には支柱Ａ，Ｂと同様のパイプがついた支柱Ｃを用い線材９をパイプ１５の穴１８へ通す。線材を支柱Ａ，Ｃ間、Ｂ、Ｃ間で支持することにより、距離による線材のたわみを防ぐことができる。【００１６】図１の手すりの構成部材である笠木２のエンドキャップ３を張架具Ｄをもった形とする。張架具はビス留、鋳造等で予めエンドキャップと一体にされた状態で笠木に取り付けられる。笠木に鳥が止まることを防ぐため張架具Ｄの穴１９に線材の端部１１を取り付け、対になった張架具Ｅの穴１７に張架具Ｄと同様に線材の端部１２を取り付ける。よって張架具Ｄ，Ｅ間にワイヤーや、ひも等の線材５を張らせることができる。図２のように張架具Ｄ，Ｅ間の距離が長い場合には笠木連結部材ａ１にも張架具ａ２をもたせ、線材を張架具ａ２の穴１６に通し張架具３、ａ１間と１０，ａ１間で支持することにより線材のたわみを防ぐ。【００１７】図３によるエンドキャップの形状は鳥よけ装置を利用しないときに張架具を収納できるものである。張架具ｂ１を下方へ押すとエンドキャップｂ２の押し込み口ｂ３の中へ収まる。収まった張架具の上端ｂ５はエンドキャップの上端ｂ４とほぼ同一面になる。鳥よけ装置を利用する際には張架具を押すと上がってくる仕組みになっている。【００１８】図４によるエンドキャップの形状は、居住者が二次的に取り付ける装置を一切無くした形状になっている。エンドキャップｃ１にワイヤーや、ひも等の線材５の巻き取り機能であるドラムｃ３、ｃ３−ａ、ｃ３−ｂをもたせる。鳥よけ装置を利用しないとき、張架具から外された線材はドラムに自動的に巻き取られ張架具ｃ５の送り口Ｃ４で止まっている。鳥よけ装置を利用する際には線材を引き出し、対の張架具に線材の先端Ｃ２を取り付ける。張られた線材にはドラムの巻き取り機能による張力が常に働いており、線材がたわみを生じることを防ぐ。又、張架具ｃ５は下方へ押すとエンドキャップｃ１へ収納される。収納されたときの張架具ｃ５の天端ｃ６はｃ７の位置まで下がって止まる。ｃ７の位置は送り口ｃ４がエンドキャップに収納されない位置である。よって線材を張った状態で高さを変えられる機構である。高さを変えられることによる効果として、布団を干す際に一度線材を取り外し、布団を手すりに掛け、再度線材を張り、高さを下げることで布団を押さえることが出来る、高さを上げる時は張架具を押すと上がってくる仕組みになっている。【００１９】図５によるエンドキャップは収納できる張架具を持っている。張架具に線材を取り付け対の張架具まで張り、張った線材に鳥おどしの為のおどし具等（図示せず）を引っ掛けるものである。おどし具は光沢を持った素材や光を乱反射するものが良い。張架具ｄ２は押すとエンドキャップｄ１の押し込み口ｄ３の中へ収納される。出すときもに押すと出てくる仕組みのものである。
【図面の簡単な説明】
【００２０】
【図１】本発明の斜視図。
【図２】本発明の斜視図で手すりが長い場合の図。
【図３】本発明のエンドキャップ形状別案。
【図４】本発明のエンドキャップ形状別案の２。
【図５】本発明のエンドキャップ形状別案の３。
【符号の説明】
【００２１】１手すり
２笠木
３エンドキャップ
４支柱Ａのプレート
５ワイヤーや、ひも等の線材
６床面と手すりの下端の隙間
７床面
８支柱Ｂのプレート
１１ワイヤーや、ひも等の線材の端部
Ａ支柱
Ｂ支柱
Ｄ張架具
Ｅ張架具
【図１】
2007315157.tif 000003
【図２】
2007315157.tif 000004
【図３】
2007315157.tif 000005
【図４】
2007315157.tif 000006
【図５】
2007315157.tif 000007